(57)【要約】【課題】  ネジ結合作業を従来よりも容易にすることができるボルト・ナット構造を提供する。【解決手段】  オスネジ部３４ａと、このオスネジ部３４ａが無い切り欠き部３４ｂとが、円周方向に交互に配置されたボルト３４と、メスネジ部３２ａと、このメスネジ部３２ａが無い切り欠き部３２ｂとが、円周方向に交互に配置されたナット３２とを備えたことを特徴とする。【効果】  本発明のボルト・ナット構造３０によれば、ネジ結合作業を従来よりも容易にすることができる。【選択図】      図５
2005147196.tif 000002
【特許請求の範囲】
【請求項１】
オスネジ部と、このオスネジ部が無い切り欠き部とが、円周方向に交互に配置されたボルトと、
メスネジ部と、このメスネジ部が無い切り欠き部とが、円周方向に交互に配置されたナットとを備えた
ことを特徴とするボルト・ナット構造。
【請求項２】
前記ボルトのオスネジ部と前記ナットの切り欠き部がゆるく嵌合したときは、ボルトの切り欠き部とナットのメスネジ部もゆるく嵌合するように形成され、
前記ボルトのオスネジ部と前記ナットの切り欠き部がゆるく嵌合したときはボルトとナットは軸方向に自由に相対移動することができるようにした請求項１に記載のボルト・ナット構造。
【請求項３】
前記ボルトのオスネジ部と前記ナットの切り欠き部がゆるく嵌合した状態から、ボルトとナットが３０°ないし９０°の間で相対回転したときは前記オスネジ部とメスネジ部がネジ結合することができるようにした請求項２に記載のボルト・ナット構造。
【請求項４】
前記ボルトのオスネジ部と前記ナットの切り欠き部の各々に係合部を設け、前記ボルトのオスネジ部と前記ナットの切り欠き部がゆるく嵌合した状態において、ボルトがナットの中を移動してナットから抜ける直前に前記各々の係合部が互いに係合するようにした請求項２に記載のボルト・ナット構造。
【請求項５】
前記ナットの切り欠き部に設けた係合部にメスネジを形成し、前記ボルトのオスネジ部とナットの切り欠き部がゆるく嵌合した状態から、ボルトとナットが３０°ないし９０°の間で相対回転したときはオスネジ部が前記係合部のメスネジにネジ結合することができるようにした請求項４に記載のボルト・ナット構造。
【請求項６】
フリーアクセスフロアのフロアパネルを支持する支持脚に用いるようにした請求項１ないし５のいずれかに記載のボルト・ナット構造。
【発明の詳細な説明】
【技術分野】
【０００１】
本発明は、ある状態においてはボルトとナットがネジ結合しないで自由に軸方向に相対移動することができ、他の状態においてはボルトとナットがネジ結合して相対的にネジ回転することにより軸方向に相対移動することができるようなボルト・ナット構造に関するものである。
【背景技術】
【０００２】
このようなボルト・ナット構造としては、従来は、例えば、特許文献１，２に記載されたようなものがある。図２０ないし２２に示すように、この従来のボルト・ナット構造のナット１１は、そのメスネジ１１ａが半分位形成されていると共に、そのメスネジ１１ａにネジ結合するオスネジの外径より少し大きな直径の直孔１１ｂが、メスネジ１１ａに隣接してやはり半分位形成されている。そして図Ｂに示すように、ナット１１の下端部には外形が円形で深さを有する位置決め凹部１１ｃが形成されている。
【０００３】
このようなナット１１がボルトに締め付けられるときは、その前にまず図２３（ａ）に示すように、ボルト１２を被締め付け部材１６の孔（図示せず）に貫通させ、被締め付け部材１６に対しボルト頭１２ａと反対側のボルト１２の根元部に、前記位置決め凹部１１ｃに嵌合可能なガイドリング１４を嵌合させる。
【０００４】
次に図２３（ｂ）に示すように、ナット１１の直孔１１ｂをボルト１２の先端部に嵌合させて、ナット１１にボルト１２を挿入させる。そして図２３（ｃ）に示すように、ナット１１の凹部１１ｃにガイドリング１４を嵌合させることにより、ボルト１２はナット１１のメスネジ１１ａにネジ結合することができる。このような従来のボルト・ナット構造によれば、ナット１１とボルト１２を相対ネジ回転させることなく軸方向に相対移動させることができるので、その締め付け操作速度を向上させることができる。
【０００５】
【特許文献１】特開２００１−２９５８２４号公報
【特許文献２】特開２０００−９７２１９号公報
【発明の開示】
【発明が解決しようとする課題】
【０００６】
しかしながら、このような従来のボルト・ナット構造にあっては、ナット１１とボルト１２の嵌合の始めは互の軸が偏芯していて、最後は両者の軸を一致させてネジ結合させるようになっているため、軸と直角方向にボルトとナットを相対移動させなければならないので、ボルトとナットのネジ結合作業に手間がかかるという問題があった。
【０００７】
そこで本発明は、上記問題点に鑑みて、そのネジ結合作業を従来よりも容易にすることができるボルト・ナット構造を提供することを課題とするものである。
【課題を解決するための手段】
【０００８】
上記課題を解決するために、本発明のボルト・ナット構造は、
オスネジ部と、このオスネジ部が無い切り欠き部とが、円周方向に交互に配置されたボルトと、
メスネジ部と、このメスネジ部が無い切り欠き部とが、円周方向に交互に配置されたナットとを備えた構成としたものである。
【発明の効果】
【０００９】
このような本発明のボルト・ナット構造によれば、ネジ結合作業を従来よりも容易にすることができる。
【発明を実施するための最良の形態】
【００１０】
以下、本発明の実施の形態について、図面に基づいて具体的に説明する。
図１ないし８は、本発明の第１の実施の形態に係るボルト・ナット構造について説明するために参照する図である。
【００１１】
図１，２は、フリーアクセスフロア構造を示す図であり、図１はその平面図、図２はその側面図である。同図において、フリーアクセスフロアパネル２０の四隅部にはそれを支持する支持脚２５が配置されている。
【００１２】
支持脚２５は、その支持板部２７と脚部２８との間に、図３，４に示すようなボルト・ナット構造３０が設けられている。このボルト・ナット構造３０は、図５，６に示すようなナット３２と、図７，８に示すようなボルト３４から構成されている。
【００１３】
図５に示すようにナット３２は、その円周方向の２箇所の位置に配置されたメスネジ部３２ａが形成されており、それらの間の２箇所の位置にはメスネジ部３２ａが無い切り欠き部３２ｂが形成されていて、メスネジ部３２ａと切り欠き部３２ｂが円周方向に交互に配置されて形成されている。
【００１４】
図７に示すようにボルト３４は、その円周方向の２箇所の位置に配置されたオスネジ部３４ａが形成されており、それらの間の２箇所の位置にはオスネジ部３４ａが無い切り欠き部３４ｂが形成されていて、オスネジ部３４ａと切り欠き部３４ｂが円周方向に交互に配置されて形成されている。ボルト３４の上端中央部には四角断面と深さを有する工具用凹部３４ｃが形成されている。
【００１５】
図５に示すような向きのナット３２の内側に、図７に示すような向きのボルト３４を嵌合させると、ボルト３４はそのオスネジ部３４ａがナット３２のメスネジ部３２ａにネジ結合しないので、ボルト３４はナット３２に対して軸方向に自由に相対移動することができる。
【００１６】
ナット３２とボルト３４の軸方向の相対位置が図４に示すような位置になったとき、ボルト３４の工具用凹部３４ｃにトルクレンチのような工具を係合させて、ボルト３４をその軸回りに９０°回転させると、ボルト３４のオスネジ部３４ａはナット３２のメスネジ部３２ａにネジ結合して、ボルト３４とナット３２は図３，４に示すような位置関係となるように組立てられる。
【００１７】
このようなボルト・ナット構造３０を、図２に示すような支持脚２５に用いる場合は、ナット３２は支持板部２７側に設けられ、ボルト３４は脚部２８側に一体的に設けられる。そして支持板部２７にはボルト３４のオスネジ部３４ａをナット３２の切り欠き部３２ｂに嵌合するための孔（図示せず）があけられている。
【００１８】
このようなボルト・ナット構造３０を用いた支持脚２５を有するフリーアクセスフロア構造においては、コンクリート床面３７の平面度が悪いにもかかわらず多数並べたフリーアクセスフロアパネル２０の平面度を向上させるためには、支持脚２５の高さを調整する必要がある。
【００１９】
その場合にはボルト３４を９０°回転させて、そのオスネジ部３４ａとナット３２の切り欠き部３２ｂがゆるく嵌合した状態とし、ボルト３４をナット３２に対して軸方向に相対移動させてから、再びボルト３４を９０°回転させてそのオスネジ部３４ａとナット３２のメスネジ部３２ａをネジ結合させることにより、支持脚２５の高さを調整することができる。
【００２０】
このため、支持脚２５の支持板部２７の上方からボルト３４の工具用凹部３４ｃに工具を係合させてボルト３４を回転させるだけで、容易に支持脚２５の高さを調整することができる。
【００２１】
図９ないし１２は、本発明の第２の実施の形態について説明するために参照する図である。この第２の実施の形態においては、図９，１０に示すように、ナット３２の下端部で２つの切り欠き部３２ｂの中央部には２つの係合突起部３２ｃが形成されている。また、図１１，１２に示すように、ボルト３４の高さ中央部から下端部にかけて、オスネジ部３４ａの中央部には、上記ナット３２の係合突起部３２ｃより広い幅の係合溝３４ｄが形成されている。
【００２２】
このような本発明の第２の実施の形態によれば、支持脚２５を運ぶときに、万一ボルト３４のオスネジ部３４ａがナット３２の切り欠き部３２ｂにゆるく嵌合した状態になって、ボルト３４がナット３２から抜け落ちそうになってしまった場合においても、係合溝３４ｄの上端行止り部がナット３２の係合突起部３２ｃに係合するので、ボルト３４がナット３２内から容易に抜け落ちるのを防止することができる。
【００２３】
また、ナット３２の係合突起部３２ｃの内面側にはメスネジ部が形成されているので、ボルト３４が回転するときはそのオスネジ部３４ａが係合突起部３２ｃのメスネジ部とネジ結合することができ、係合突起部３２ｃがボルト３４の回転を阻害することはない。
【００２４】
図１３，１４は、本発明の第３の実施の形態について説明するために参照する図である。この第３の実施の形態のナット３８は、第１の実施の形態のナット３２と同様に、各２つのメスネジ部３８ａと切り欠き部３８ｂを有しているが、第１の実施の形態のメスネジ部３２ａが半円状に形成されていたのに対し、この第３の実施の形態のメスネジ部３８ａは扇形に形成されている点において異なるものである。
【００２５】
また、この第３の実施の形態のボルト４０は、第１の実施の形態のボルト３４と同様に、各２つのオスネジ部４０ａと切り欠き部４０ｂ、及び工具用凹部４０ｃを有しているが、第１の実施の形態のオスネジ部３４ａはその両端が互に平行となるように形成されているのに対し、この第３の実施の形態のオスネジ部４０ａはその両端が互に平行ではなく、全体が扇形に形成されている点において異なるものである。
【００２６】
このような第３の実施の形態によれば、前記第１の実施の形態のナット３２のメスネジ部３２ａの面積よりも、ナット３８のメスネジ部３８ａの面積の方が大きいので、ボルト４０とのネジ結合時のオスネジ部４０ａとの接触面積を大きくすることができる。このため、支持脚２５によるフリーアクセスフロアパネル２０上の重量の支持荷重を増大させることができる。
【００２７】
図１５ないし１７は、本発明の第４の実施の形態について説明するために参照する図である。図１５に示すように、この第４の実施の形態のナット４２は、その円周方向の４か所に半円状のメスネジ部４２ａが形成されており、それらの間にはメスネジ４２ａが無い切り欠き部４２ｂが形成されている。
【００２８】
また図１６に示すように、この第４の実施の形態のボルト４４は、上面図における外形が正方形に形成されており、円周方向の４か所にほぼ三角形状のオスネジ部４４ａが形成されていて、それらの間には、上記正方形の形状から必然的に、オスネジ部４４ａが無い切り欠き部４４ｂが形成されている。
【００２９】
このような第４の実施の形態の、ボルト４４のオスネジ部４４ａとナット４２の切り欠き部４２ｂをゆるく嵌合させて、ボルト４４をナット４２の内側に入れた後、ボルト４４を４５°回転させると、図１７に示すように、オスネジ部４４ａとメスネジ部４２ａがネジ結合するようになっている。このようなボルト４４とナット４２から構成されるボルト・ナット構造も、フリーアクセスフロアパネル２０の支持脚２５に用いることができる。
【００３０】
なお、前記実施の形態においては図２に示すように、ボルトと一体の脚部２８の下端部がコンクリート床面３７に接地するようになっていたが、図１８に示すように、ボルト・ナット構造３０のナットをコンクリート床面３７側に配置させて、脚部２８の上端部が支持板部２７を介してフリーアクセスフロアパネル２０を支持するようにしてもよい。
【００３１】
また、前記実施の形態においては図１に示すように、１枚のフリーアクセスフロアパネル２０の四隅部を１つの支持脚２５により支持するようになっていたが、図１９に示すように、４枚のフリーアクセスフロアパネル２０の一か所に集る４つの隅部を１つの支持脚２５により支持するようにしてもよいことは、いうまでもないことである。
【００３２】
また、前記実施の形態においては本発明をフリーアクセスフロア構造に用いた場合について説明したが、本発明はフリーアクセスフロア構造以外のものにも適用することができる。その場合は、長いボルトにナットを締め付けるとき、ナットとボルトを相対ネジ回転させることなく、軸方向に一気に相対移動させることができるので、ナットとボルトの締め付け作業に要する時間を著しく短縮することができる。
【図面の簡単な説明】
【００３３】
【図１】支持脚２５により支持されるフリーアクセスフロアパネル２０の平面図である。
【図２】フリーアクセスフロアパネル２０を支持する支持脚２５の側面図である。
【図３】本発明の第１の実施の形態に係るボルト・ナット構造３０の上面図である。
【図４】図３に示すボルト・ナット構造３０の側面図である。
【図５】ボルト・ナット構造３０のナット３２の上面図である。
【図６】図５に示すナット３２の側面図である。
【図７】ボルト・ナット構造３０のボルト３４の上面図である。
【図８】図７に示すボルト３４の側面図である。
【図９】本発明の第２の実施の形態に係るボルト・ナット構造のナット３２の上面図である。
【図１０】図９に示すナット３２の側面図である。
【図１１】本発明の第２の実施の形態に係るボルト・ナット構造のボルト３４の上面図である。
【図１２】図１１に示すボルト３４の側面図である。
【図１３】本発明の第３の実施の形態に係るボルト・ナット構造のナット３８の上面図である。
【図１４】本発明の第３の実施の形態に係るボルト・ナット構造のボルト４０の上面図である。
【図１５】本発明の第４の実施の形態に係るボルト・ナット構造のナット４２の上面図である。
【図１６】本発明の第４の実施の形態に係るボルト・ナット構造のボルト４４の上面図である。
【図１７】図１５のナット４２と図１６のボルト４４との組立て上面図である。
【図１８】支持脚の他の実施例を示す側面図である。
【図１９】フリーアクセスフロアパネル構造の他の実施例を示す平面図である。
【図２０】従来のボルト・ナット構造のナット１１を示す上面図である。
【図２１】図２０に示すナット１１のＡ−Ａ線断面図である。
【図２２】図２０に示すナット１１の斜視図である。
【図２３】図２０に示すナット１１を用いた従来のボルト・ナット構造の組立て手順を示す図であり、図２３（ａ）〜（ｃ）はその手順に沿って示すボルト・ナット構造の側面断面図である。
【符号の説明】
【００３４】
１１  ナット
１１ａ  メスネジ
１１ｂ  直孔
１１ｃ  位置決め凹部
１２  ボルト
１２ａ  ボルト頭
１４  ガイドリング
１６  被締め付け部材
２０  フリーアクセスフロアパネル
２５  支持脚
２７  支持板部
２８  脚部
３０  ボルト・ナット構造
３２  ナット
３２ａ  メスネジ部
３２ｂ  切り欠き部
３２ｃ  係合突起部
３４  ボルト
３４ａ  オスネジ部
３４ｂ  切り欠き部
３４ｃ  工具用凹部
３４ｄ  係合溝
３７  コンクリート床面
３８  ナット
３８ａ  メスネジ部
３８ｂ  切り欠き部
４０  ボルト
４０ａ  オスネジ部
４０ｂ  切り欠き部
４０ｃ  工具用凹部
４２  ナット
４２ａ  メスネジ部
４２ｂ  切り欠き部
４４  ボルト
４４ａ  オスネジ部
４４ｂ  切り欠き部
【図１】
2005147196.tif 000003
【図２】
2005147196.tif 000004
【図３】
2005147196.tif 000005
【図４】
2005147196.tif 000006
【図５】
2005147196.tif 000007
【図６】
2005147196.tif 000008
【図７】
2005147196.tif 000009
【図８】
2005147196.tif 000010
【図９】
2005147196.tif 000011
【図１０】
2005147196.tif 000012
【図１１】
2005147196.tif 000013
【図１２】
2005147196.tif 000014
【図１３】
2005147196.tif 000015
【図１４】
2005147196.tif 000016
【図１５】
2005147196.tif 000017
【図１６】
2005147196.tif 000018
【図１７】
2005147196.tif 000019
【図１８】
2005147196.tif 000020
【図１９】
2005147196.tif 000021
【図２０】
2005147196.tif 000022
【図２１】
2005147196.tif 000023
【図２２】
2005147196.tif 000024
【図２３】
2005147196.tif 000025